(57)【要約】      （修正有）【課題】  異なる特性の閃光装置を使用した場合においても、予備発光の回数等をいずれも適切に設定できるようにする。【解決手段】  カメラに内蔵される内蔵閃光装置と、電気接点で接続されたカメラからの指示で閃光発光を行う外付け閃光装置と、外部からの光信号または無線通信に応じて閃光発光を行うリモート閃光装置とのうち、少なくとも２種類以上の閃光装置が含まれる閃光装置群を制御可能とし、、制御部と、閃光測光部と、演算部を有する。制御部は、閃光装置群から１つの被制御閃光装置を選択し、撮影に先立って被制御閃光装置を所定回数発光させる予備発光プロセスを実行する。閃光測光部は、予備発光プロセスでの被写体反射光を測光する。演算部は、閃光装置群を構成する各閃光装置毎にそれぞれ設定された複数の判定式を保持し、被制御閃光装置に対応する判定式に基づいて閃光測光部の測光結果から予備発光プロセスを再度実行するか否かを決定する。【選択図】  図１
2006317674.tif 000002
【特許請求の範囲】
【請求項１】
カメラに内蔵される内蔵閃光装置と、電気接点を介して接続されたカメラからの指示に基づいて閃光発光を行う外付け閃光装置と、外部からの光信号または無線通信に応じて閃光発光を行うリモート閃光装置とのうち、少なくとも２種類以上の閃光装置が含まれる閃光装置群を制御可能なカメラであって、
前記閃光装置群から１つの被制御閃光装置を選択し、撮影に先立って前記被制御閃光装置を所定回数発光させる予備発光プロセスを実行する制御部と、
前記予備発光プロセスでの被写体反射光を測光する閃光測光部と、
前記閃光装置群を構成する各閃光装置毎にそれぞれ設定された複数の判定式を保持し、前記被制御閃光装置に対応する前記判定式に基づいて前記閃光測光部の測光結果から前記予備発光プロセスを再度実行するか否かを決定する演算部と、
を有することを特徴とするカメラ。
【請求項２】
カメラに内蔵される内蔵閃光装置と、電気接点を介して接続されたカメラからの指示に基づいて閃光発光を行う外付け閃光装置と、外部からの光信号または無線通信に応じて閃光発光を行うリモート閃光装置とのうち、少なくとも２種類以上の閃光装置が含まれる閃光装置群と、
前記閃光装置群から１つの被制御閃光装置を選択し、撮影に先立って前記被制御閃光装置を所定回数発光させる予備発光プロセスを実行する制御部と、
前記予備発光プロセスでの被写体反射光を測光する閃光測光部と、
前記閃光装置群を構成する各閃光装置毎にそれぞれ設定された複数の判定式を保持し、前記被制御閃光装置に対応する前記判定式に基づいて前記閃光測光部の測光結果から前記予備発光プロセスを再度実行するか否かを決定する演算部と、
を有することを特徴とするカメラシステム。
【発明の詳細な説明】
【技術分野】
【０００１】
本発明は、予備発光により閃光装置の閃光発光量を最適に制御するカメラおよびカメラシステムに関する。
【背景技術】
【０００２】
閃光装置を有するカメラでは、撮影に先立って予備発光を行なうことで被写体反射光を測光し、該測光結果に基づいて撮影時の本発光量を演算するものが従来から知られている。また、予備発光での適切な測光結果を得るために、予備発光時の測光値が過小または過大である場合には再度予備発光を行うカメラも知られている（特許文献１参照）。なお、閃光装置は、カメラに内蔵される内蔵閃光装置、電気接点を介して接続されたカメラからの指示に基づいて閃光発光を行う外付け閃光装置、外部からの光信号に応じて閃光発光を行うリモート閃光装置が一般的に知られている。
【特許文献１】特開２０００−１８７２６６号公報
【発明の開示】
【発明が解決しようとする課題】
【０００３】
しかし、閃光装置での予備発光の設定（発光量等）には各閃光装置ごとの特性がある一方で、従来のカメラでは再度予備発光を行うか否かの判定は同一の判定式で行われていた。そのため、閃光装置およびカメラの組み合わせ次第では予備発光の設定が不適切となる点で改善の余地があった。特に予備発光時の測光出力に基づいて本発光量を予め決定する、いわゆるガイドナンバー制御方式では、予備発光時の測光精度がそのまま本発光量の精度に反映されるのでその影響が大きかった。
【０００４】
例えば、測光値が所定の閾値を下回る場合に再度予備発光を行う判定式において、判定式の閾値が比較的小さいカメラと予備発光の発光量の小さい閃光装置との組み合わせでは、測光センサから十分な出力が得られないおそれもある。また、上記の判定式において閾値が大きいカメラでは、１回目の予備発光で十分な測光値が得られているにもかかわらず大光量での２回目の予備発光が行われ、しかも２回目の予備発光により測光センサの出力が過大となって飽和してしまうような場合があった。
【０００５】
本発明は上記従来技術の欠点を除くためにされたものであり、その目的は、異なる特性の閃光装置を使用した場合においても、予備発光の回数等をいずれも適切に設定できるカメラおよびカメラシステムを提供することである。
【課題を解決するための手段】
【０００６】
本発明は、カメラに内蔵される内蔵閃光装置と、電気接点を介して接続されたカメラからの指示に基づいて閃光発光を行う外付け閃光装置と、外部からの光信号または無線通信に応じて閃光発光を行うリモート閃光装置とのうち、少なくとも２種類以上の閃光装置が含まれる閃光装置群を制御可能なカメラであって、制御部と、閃光測光部と、演算部と、を有する。制御部は、閃光装置群から１つの被制御閃光装置を選択し、撮影に先立って被制御閃光装置を所定回数発光させる予備発光プロセスを実行する。閃光測光部は、予備発光プロセスでの被写体反射光を測光する。演算部は、閃光装置群を構成する各閃光装置毎にそれぞれ設定された複数の判定式を保持し、被制御閃光装置に対応する判定式に基づいて閃光測光部の測光結果から予備発光プロセスを再度実行するか否かを決定する。
【０００７】
また、上記の閃光装置群と上記カメラの各構成要素とを包含したカメラシステムも本発明の技術的範囲に含まれる。
【発明の効果】
【０００８】
本発明では、２回目の予備発光プロセスの要否判定が閃光装置の種類ごとに最適化され、被制御閃光装置を切り替えた場合においても最適な設定で予備発光が行われる。
【発明を実施するための最良の形態】
【０００９】
（第１実施形態の説明）
図１は本発明の第１実施形態に係る電子カメラシステムの構成を示す概要図である。
第１実施形態の電子カメラシステムは、外付け閃光装置１０と、リモート閃光装置１１と、一眼レフレックス型の電子カメラ１２と、を有している。外付け閃光装置１０は、主として電子カメラ１２に装着されて使用される閃光装置である。リモート閃光装置１１は、外部からの光信号（例えば、後述の内蔵閃光装置３２や外付け閃光装置１０による光束パルス、あるいは赤外線信号など）に応じて閃光発光を行う閃光装置である。なお、外付け閃光装置１０およびリモート閃光装置１１の機能を併有する閃光装置については、電子カメラに電気的に接続されている場合は外付け閃光装置として扱い、外部からの光信号で動作する場合はリモート閃光装置として扱う。
【００１０】
図２は第１実施形態の外付け閃光装置１０の構成を示すブロック図である。この図２の例ではリモート閃光装置１１の機能を併有する外付け閃光装置１０の構成を説明し、一方の機能のみの閃光装置の説明は省略する。閃光装置は、キセノン発光管およびコンデンサを備えた閃光発光部２０と、発光制御回路２１と、電気接点を備えたコネクタ２２と、外部からの光信号を受信するための受光部２３とを有している。発光制御回路２１はコネクタ２２の電気接点または受光部２３からの信号入力に基づいて閃光発光部２０を発光制御する。また、発光制御回路２１は、撮影に先立って閃光発光部２０を発光させる予備発光と、撮影時に被写体を照射する本発光とを実行する。
【００１１】
一方、電子カメラ１２は、カメラ本体３０と、撮影光学系３１ａおよび絞り３１ｂが収容されたレンズ部３１とを有している。レンズ部３１はバヨネット機構等によってカメラ本体３０と交換可能に装着されている。また、カメラ本体３０の上部には内蔵閃光装置３２と、電気接点を備えたホットシュー３３とが設けられている。内蔵閃光装置３２は撮影時以外はカメラ本体３０に収納可能に構成されている。ホットシュー３３には外付け閃光装置１０のコネクタ２２を接続でき、外付け閃光装置１０とカメラ本体３０との接続時には電気接点を介して両者の電気的な接続が確立する。
【００１２】
カメラ本体３０の中心部には、メインミラー３４と、シャッタ３５と、撮像素子３６とがレンズ光軸に沿って配置されている。また、カメラ本体３０の上部領域にはファインダ光学系が配置されている。さらに、カメラ本体３０の内部には、測光用再結像レンズ３７および分割測光素子３８と、ＣＰＵ３９とが配置されている。
メインミラー３４は、シャッタ３５および撮像素子３６の前方で傾斜配置された観察状態と、上方に跳ね上げられて撮影光路から外れる退避状態とを切り替えることができる。観察状態でのメインミラー３４は、レンズ部３１を通過した光束を上方に反射させてファインダ光学系に導くようになっている。一方、メインミラー３４が退避状態にあるときは、レンズ部３１を通過した光束がシャッタ３５および撮像素子３６に導かれ、撮像素子３６で被写体を撮影することができる。
【００１３】
ファインダ光学系は、拡散スクリーン４０と、コンデンサレンズ４１と、ペンタプリズム４２と、接眼レンズ（不図示）とを有している。拡散スクリーン４０はメインミラー３４の上方に位置し、観察状態のメインミラー３４で反射された光束を一旦結像させる。拡散スクリーン４０上で結像した光束はコンデンサレンズ４１およびペンタプリズム４２を通過し、入射面に対して９０°偏向したペンタプリズム４２の射出面からカメラ本体３０の後方に導かれ、接眼レンズを介してユーザーの目に到達するようになっている。
【００１４】
測光用再結像レンズ３７および分割測光素子３８はペンタプリズム４２の近傍に配置される。測光用再結像レンズ３７は拡散スクリーン４０で結像した光束の一部を再結像し、分割測光素子３８は再結像されたファインダ像の分割測光を実行する。
図３は、第１実施形態の分割測光素子３８を説明するための正面拡大図である。分割測光素子３８の測光領域は縦３行、横５列に区切られており、被写界を１５分割して測光することができる。そして、分割測光素子３８の各分割領域の測光値ＲＭはＣＰＵ３９にそれぞれ出力される。なお、本明細書での測光値ＲＭの表記は、例えば、分割測光素子３８の左上を基点として第ｊ行目第ｉ列目の分割領域の測光値であればＲＭ［ｉ，ｊ］のように示す。
【００１５】
ＣＰＵ３９は、図示しないＲＯＭに格納されたシーケンスプログラムに従って各部動作を制御するとともに、撮影画像の各種画像処理などを実行する。また、ＣＰＵ３９は閃光装置の演算制御に関し、以下の動作を実行する。
（１）ＣＰＵ３９は、ユーザーの入力などに基づいて電子カメラシステムのマスタ閃光装置となる被制御閃光装置を撮影前に設定する。なお、リモート閃光装置１１が被制御閃光装置となる場合には、ＣＰＵ３９は内蔵閃光装置３２または外付け閃光装置１０のパルス発光によるコード信号でリモート閃光装置１１を制御する。
【００１６】
（２）ＣＰＵ３９は、撮影に先立って被制御閃光装置を所定回数発光させる予備発光プロセスを実行し、分割測光素子３８の出力（予備発光時の被写体反射光の測光値）に基づいて撮影時の本発光量を演算する。第１実施形態では、ＣＰＵ３９は１回の予備発光プロセスにつき被制御閃光装置を１回閃光発光させて被写体反射光を測光する。
（３）ＣＰＵ３９は閃光装置毎にそれぞれ設定された複数の判定式を保持し、被制御閃光装置に対応する判定式に基づいて予備発光プロセスを再度実行するか否かを決定する。なお、第１実施形態では、１回目の予備発光プロセスおよび２回目の予備発光プロセスでの発光量の大小関係は被制御閃光装置ごとに相違する。例えば、内蔵閃光装置３２では、１回目の予備発光プロセスの方が大きな発光量に設定されている。一方、外付け閃光装置１０およびリモート閃光装置１１では、２回目の予備発光プロセスの方が大きな発光量に設定されている。
【００１７】
第１実施形態の電子カメラシステムは上記のように構成され、以下、その動作を図４の流れ図に沿って説明する。
ステップＳ１０１：ＣＰＵ３９は、外付け閃光装置１０、リモート閃光装置１１および内蔵閃光装置３２のうちから、電子カメラシステムのマスタ閃光装置となる被制御閃光装置をユーザーの入力などに基づいて設定する。
【００１８】
ステップＳ１０２：ＣＰＵ３９は、不図示のレリーズ釦の半押しなどに応じて、撮影に先立って１回目の予備発光プロセスを実行する。Ｓ１０２の予備発光プロセスでは、ＣＰＵ３９は所定の発光量で被制御閃光装置を１回発光させる。そして、分割測光素子３８は予備発光時の被写体反射光を分割測光する。
ステップＳ１０３：ＣＰＵ３９は被制御閃光装置が内蔵閃光装置３２以外か否かを判定する。被制御閃光装置が外付け閃光装置１０またはリモート閃光装置１１の場合（ＹＥＳ側）にはＳ１０４に移行する。一方、被制御閃光装置が内蔵閃光装置３２の場合（ＮＯ側）にはＳ１１２に移行する。
【００１９】
ステップＳ１０４：ＣＰＵ３９はＳ１０２での１５個の測光値Ｒｍ［ｉ，ｊ］から最大測光値ＲｍＭａｘを検出する。
ステップＳ１０５：ＣＰＵ３９は被制御閃光装置が外付け閃光装置１０であるか否かを判定する。被制御閃光装置が外付け閃光装置１０の場合（ＹＥＳ側）にはＳ１０６に移行する。一方、被制御閃光装置がリモート閃光装置１１の場合（ＮＯ側）にはＳ１０９に移行する。
【００２０】
ステップＳ１０６：ＣＰＵ３９はＳ１０４の最大測光値ＲｍＭａｘが閾値ＭｏｎＲｍ１未満か否か（ＲｍＭａｘ＜ＭｏｎＲｍ１）によって、２回目の予備発光プロセスを実行するか否かを判定する。なお、閾値ＭｏｎＲｍ１は、現在接続されている外付け閃光装置１０の性能（予備発光の発光量など）に応じてＣＰＵ３９が適宜設定する。
そして、ＲｍＭａｘがＭｏｎＲｍ１未満の場合（ＹＥＳ側）にはＳ１０７に移行し、ＣＰＵ３９は２回目の予備発光プロセスを実行する。一方、ＲｍＭａｘがＭｏｎＲｍ１以上の場合（ＮＯ側）にはＳ１１５に移行し、ＣＰＵ３９はＳ１０４のＲｍＭａｘに基づいて本発光量を演算する。
【００２１】
ステップＳ１０７：ＣＰＵ３９は２回目の予備発光プロセスを実行する。具体的には、ＣＰＵ３９は被制御閃光装置（外付け閃光装置１０）をＳ１０２よりも大きな発光量で１回発光させる。そして、分割測光素子３８は予備発光時の被写体反射光を分割測光する。
ステップＳ１０８：ＣＰＵ３９はＳ１０７での１５個の測光値Ｒｍ［ｉ，ｊ］から最大測光値ＲｍＭａｘを検出し、Ｓ１０４の最大測光値を更新する。その後にＳ１１５に移行する。
【００２２】
ステップＳ１０９：この場合には、ＣＰＵ３９はＳ１０４の最大測光値ＲｍＭａｘが閾値ＭｏｎＲｍＲｅｍ１未満か否か（ＲｍＭａｘ＜ＭｏｎＲｍＲｅｍ１）によって、２回目の予備発光プロセスを実行するか否かを判定する。
そして、ＲｍＭａｘがＭｏｎＲｍＲｅｍ１未満の場合（ＹＥＳ側）にはＳ１１０に移行し、ＣＰＵ３９は２回目の予備発光プロセスを実行する。一方、ＲｍＭａｘがＭｏｎＲｍＲｅｍ１以上の場合（ＮＯ側）にはＳ１１５に移行し、ＣＰＵ３９はＳ１０４のＲｍＭａｘに基づいて本発光量を演算する。
【００２３】
ここで、Ｓ１０９の閾値ＭｏｎＲｍＲｅｍ１はリモート閃光装置１１間で共通の閾値であって、予めＣＰＵ３９に設定されている。この閾値ＭｏｎＲｍＲｅｍ１は、閾値以上であれば一定の信頼性のある本発光量をＣＰＵ３９が演算できる値に設定されている。また、閾値ＭｏｎＲｍＲｅｍ１未満で２回目の予備発光を行う場合、カメラシステムに使用できる全てのリモート閃光装置１１で分割測光素子３８の飽和のおそれが極めて少なくなるように調整されている。
【００２４】
リモート閃光装置１１を被制御閃光装置とする場合、リモート閃光装置１１とカメラ本体１２との位置関係は撮影毎に異なる。しかも、かかる場合には電子カメラ１２からリモート閃光装置１１への一方的な通信となることが多く、外部閃光装置１０の場合のようにＣＰＵ３９がリモート閃光装置１１から情報を取得して細かいコントロールを行うことは困難である。そのため、第１実施形態ではリモート閃光装置１１での予備発光量の変化量などのパラメータを考慮し、多くの状況下で有効な測光値を安定して取得できるように閾値ＭｏｎＲｍＲｅｍ１の値を設定している。
【００２５】
ステップＳ１１０：ＣＰＵ３９は２回目の予備発光プロセスを実行する。なお、２回目の予備発光プロセスの説明はＳ１０７と共通するので説明を省略する。
ステップＳ１１１：ＣＰＵ３９はＳ１１０での１５個の測光値Ｒｍ［ｉ，ｊ］から最大測光値ＲｍＭａｘを検出し、Ｓ１０４の最大測光値を更新する。その後にＳ１１５に移行する。
【００２６】
ステップＳ１１２：この場合には、ＣＰＵ３９は以下の式（１）によって分割測光素子３８の出力が飽和しているか否かを判定する。飽和している場合（ＹＥＳ側）にはＳ１１３に移行する。一方、飽和していない場合（ＮＯ側）にはＳ１１４に移行する。
Ｖｏｍａｘ＋Ｖｏｐｂ＞ＶｏｖＬ  ・・・（１）
ただし、式（１）において、ＶｏｍａｘはＳ１０２での分割測光素子３８の最大出力値である。Ｖｏｐｂは分割測光素子３８の遮光領域の出力値（黒レベル値）である。ＶｏｖＬは分割測光素子３８の飽和レベルである。
【００２７】
ステップＳ１１３：ＣＰＵ３９は２回目の予備発光プロセスを実行する。具体的には、ＣＰＵ３９は被制御閃光装置（内蔵閃光装置３２）をＳ１０２よりも小さい発光量で１回発光させる。そして、分割測光素子３８は予備発光時の被写体反射光を分割測光する。
ここで、内蔵閃光装置３２の場合には１回目の予備発光量を大きく設定するのは以下の理由による。例えば、被写体距離が大きくて被写体反射光が小さくなる場合を考えると、１回目の予備発光量が小さければ十分な測光結果を得ることができず、２回目の予備発光を行わなければならない。したがって、上記のように１回目の予備発光量を大きく設定する方が、２回の予備発光を行う場合と比べて本発光時のエネルギを温存できる。
【００２８】
一方、被写体距離が小さくて被写体反射光が大きくなる場合を考えると、上記のように１回目の予備発光量を大きく設定した場合には１回目の予備発光では分割測光素子３８の出力が飽和して、小光量での予備発光が再度必要となる。しかし、この場合には被写体距離が小さいことから本発光量は小さくなるので、被写体距離が大きい場合に２回予備発光を行う場合と比べて効率的な設定となる。特に内蔵閃光装置３２は外付け閃光装置と比べて最大ガイドナンバーやコンデンサの容量が小さいため、その効果が顕著である。
【００２９】
ステップＳ１１４：ＣＰＵ３９はＳ１０２またはＳ１１３での分割測光素子の１５個の測光値Ｒｍ［ｉ，ｊ］から最大測光値ＲｍＭａｘを検出する。
ステップＳ１１５：ＣＰＵ３９は所定の演算式により最大測光値ＲｍＭａｘ（Ｓ１０４、Ｓ１０８、Ｓ１１１またはＳ１１４）に基づいて本発光量ＫＧＮを演算する。具体的には、ＣＰＵ３９は以下の式（２）によって本発光量ＫＧＮを演算する。
【００３０】
ＫＧＮ＝ＫＧＮＣＯＮＳＴ−Ｌｏｇ２（ＲｍＭａｘ）−Ａｖ０＋Ａｖ  ・・・（２）
ただし、式（２）において、ＫＧＮはガイドナンバーではなく、予備発光量に対して本発光量が何倍となるかを示す倍数である。ＫＧＮＣＯＮＳＴは本発光量ＫＧＮを決定するための調整用定数である。Ｌｏｇ２（ｘ）は２を底とするｘの対数を返す関数である。Ａｖ０は最大測光値ＲｍＭａｘを取得した予備発光での絞り３１ｂのＡＰＥＸ値である。Ａｖは撮影時の絞り３１ｂのＡＰＥＸ値である。
【００３１】
ステップＳ１１６：ＣＰＵ３９は被写体の撮影を実行する。まず、ＣＰＵ３９は撮影に先立ってメインミラー３４を撮影光路から待避させる。次に、ＣＰＵ３９は被制御閃光装置を本発光量ＫＧＮ（Ｓ１１５）で本発光させる。そして、ＣＰＵ３９は本発光に同期してシャッタ３５を走行させて撮像素子３６で被写体を撮影する。以上で、第１実施形態の電子カメラシステムの動作説明を終了する。
【００３２】
以下、上記第１実施形態の効果を説明する。第１実施形態では、外付け閃光装置１０、リモート閃光装置１１および内蔵閃光装置３２でそれぞれ異なる判定式によって２回目の予備発光プロセスの要否をＣＰＵ３９が判定する（Ｓ１０６、Ｓ１０９、Ｓ１１２）。そのため、いずれの閃光装置を被制御閃光装置に設定した場合でも最適な設定で予備発光が行われる。
【００３３】
（第２実施形態の説明）
第２実施形態は第１実施形態の変形例であって、外付け閃光装置１０およびリモート閃光装置１１の予備発光プロセスがチョップ発光方式（間欠的に複数回のチョップ発光（小発光）を行う方式）による点で第１実施形態と相違する。かかる第２実施形態でも第１実施形態とほぼ同様の効果を得ることができる。なお、第２実施形態での電子カメラ１２、各閃光装置の基本構成は第１実施形態とほぼ共通であるので同一符号を付して重複説明を省略する。
【００３４】
図５は第２実施形態の電子カメラシステムの動作を示す流れ図である。ここで、Ｓ２０１は上記のＳ１０１と対応し、同様にＳ２１３〜Ｓ２１７は上記のＳ１１２〜Ｓ１１６とほぼ対応するのでその説明を省略する。
ステップＳ２０２：ＣＰＵ３９は不図示のレリーズ釦の半押しなどに応じて、撮影に先立って１回目の予備発光プロセスを実行し、分割測光素子３８は予備発光時の被写体反射光を分割測光する。
【００３５】
ここで、Ｓ２０２において内蔵閃光装置３２の場合は予備発光プロセスで１回の閃光発光が行われる。一方、外付け閃光装置１０またはリモート閃光装置１１の場合には予備発光プロセスでチョップ発光が行われる。この場合、分割測光素子３８はチョップ発光での受光量を積分して予備発光の測光値を演算する。
なお、予備発光プロセスのチョップ発光は、分割測光素子３８の受光量が所定値となったことを示すストップ信号が被制御閃光装置の発光制御回路２１に入力されるか、あるいはチョップ発光の発光回数が所定値になるまで行われる。
【００３６】
ステップＳ２０３：ＣＰＵ３９は被制御閃光装置が内蔵閃光装置３２以外か否かを判定する。被制御閃光装置が外付け閃光装置１０またはリモート閃光装置１１の場合（ＹＥＳ側）にはＳ２０４に移行する。一方、被制御閃光装置が内蔵閃光装置３２の場合（ＮＯ側）にはＳ２１３に移行する。
ステップＳ２０４：ＣＰＵ３９はＳ２０２での１５個の測光値Ｒｍ［ｉ，ｊ］から最大測光値ＲｍＭａｘを検出する。
【００３７】
ステップＳ２０５：ＣＰＵ３９はＳ２０２でのチョップ発光がストップ信号で終了したか否かを判定する。ストップ信号で終了した場合（ＹＥＳ側）にはＳ２１６に移行して、ＣＰＵ３９はＳ２０４のＲｍＭａｘに基づいて本発光量を演算する。一方、ストップ信号のない場合（ＮＯ側）にはＳ２０６に移行する。
ステップＳ２０６：ＣＰＵ３９は被制御閃光装置が外付け閃光装置１０であるか否かを判定する。被制御閃光装置が外付け閃光装置１０の場合（ＹＥＳ側）にはＳ２０７に移行する。一方、被制御閃光装置がリモート閃光装置１１の場合（ＮＯ側）にはＳ２１０に移行する。
【００３８】
ステップＳ２０７：ＣＰＵ３９はＳ２０４の最大測光値ＲｍＭａｘが閾値ＭｏｎＲｍ２未満か否か（ＲｍＭａｘ＜ＭｏｎＲｍ２）によって、２回目の予備発光プロセスを実行するか否かを判定する。なお、閾値ＭｏｎＲｍ２は、第１実施形態のＭｏｎＲｍ１に対応するチョップ発光用の閾値である。
そして、ＲｍＭａｘがＭｏｎＲｍ２未満の場合（ＹＥＳ側）にはＳ２０８に移行し、ＣＰＵ３９は２回目の予備発光プロセスを実行する。一方、ＲｍＭａｘがＭｏｎＲｍ２以上の場合（ＮＯ側）にはＳ２１６に移行し、ＣＰＵ３９はＳ２０４のＲｍＭａｘに基づいて本発光量を演算する。
【００３９】
ステップＳ２０８：ＣＰＵ３９は、例えば以下の（１）〜（３）のいずれかの設定で２回目の予備発光プロセスを実行する。
（１）ＣＰＵ３９は分割測光素子３８の測光値をリセットするとともに、被制御閃光装置にチョップ発光のガイドナンバーを大きくする指示を行う。そして、ＣＰＵ３９は被制御閃光装置をより大きな光量でチョップ発光させて、分割測光素子３８で被写体反射光を分割測光する。
【００４０】
（２）ＣＰＵ３９は分割測光素子３８の測光値をリセットするとともに、被制御閃光装置の設定はそのままで分割測光素子３８のゲインを上昇させる。そして、ＣＰＵ３９は被制御閃光装置をチョップ発光させて、分割測光素子３８で被写体反射光を分割測光する。この場合には、チョップ発光のガイドナンバーを変更することなく高い測光値を得ることができる。
【００４１】
（３）ＣＰＵ３９は分割測光素子３８の測光値をリセットすることなく、１回目の予備発光プロセスと同様の設定で被制御閃光装置をチョップ発光させて、分割測光素子３８で被写体反射光を分割測光する。この場合は、２回目の予備発光プロセスでの測光値に１回目の予備発光プロセスでの測光値が合算されるので、Ｓ２０２での測光結果が無駄にならない。
【００４２】
ステップＳ２０９：ＣＰＵ３９はＳ２０８での１５個の測光値Ｒｍ［ｉ，ｊ］から最大測光値ＲｍＭａｘを検出し、Ｓ２０４の最大測光値を更新する。その後にＳ２１６に移行する。
ステップＳ２１０：この場合には、ＣＰＵ３９はＳ２０４の最大測光値ＲｍＭａｘが閾値ＭｏｎＲｍＲｅｍ２未満か否か（ＲｍＭａｘ＜ＭｏｎＲｍＲｅｍ２）によって、２回目の予備発光プロセスを実行するか否かを判定する。なお、閾値ＭｏｎＲｍＲｅｍ２は、第１実施形態のＭｏｎＲｍＲｅｍ１に対応するチョップ発光用の閾値である。
【００４３】
そして、ＲｍＭａｘがＭｏｎＲｍＲｅｍ２未満の場合（ＹＥＳ側）にはＳ２１１に移行し、ＣＰＵ３９は２回目の予備発光プロセスを実行する。一方、ＲｍＭａｘがＭｏｎＲｍＲｅｍ２以上の場合（ＮＯ側）にはＳ２１６に移行し、ＣＰＵ３９はＳ２０４のＲｍＭａｘに基づいて本発光量を演算する。
ステップＳ２１１：ＣＰＵ３９は２回目の予備発光プロセスを実行する。なお、２回目の予備発光プロセスの説明はＳ２０８と共通するので説明を省略する。
【００４４】
ステップＳ２１２：ＣＰＵ３９はＳ２１１での１５個の測光値Ｒｍ［ｉ，ｊ］から最大測光値ＲｍＭａｘを検出し、Ｓ２０４の最大測光値を更新する。その後にＳ２１６に移行する。
（実施形態の補足事項）
以上、本発明を上記の実施形態によって説明してきたが、本発明の技術的範囲は上記実施形態に限定されるものではなく、例えば以下のような形態であってもよい。
【００４５】
（１）本発明のカメラシステムを構成するカメラは銀塩カメラであってもよい。また、分割測光素子３８をメインミラー３４の下部に配置し、シャッタ３５の反射光を測光するようにしてもよい。さらに、分割測光素子３８の分割測光領域の数、配置は適宜変更することができる。
（２）本発明は２種類以上の閃光装置の制御が可能なカメラシステムに適用されるものであり、上記実施形態に挙げられたすべての閃光装置を制御できる必要はない。例えば、内蔵閃光装置３２を有しないカメラにおいて外付け閃光装置１０およびリモート閃光装置１１を制御する場合や、リモート閃光装置１１の制御機能を有しないカメラで内蔵閃光装置３２と外付け閃光装置１０を制御する場合も本発明の技術的範囲に含まれうる。
【００４６】
（３）第１実施形態の内蔵閃光装置３２に関し、予備発光プロセスでの発光量の大小関係を１回目と２回目とで逆にしてもよい。同様に、第１実施形態の外付け閃光装置１０およびリモート閃光装置１１においても、予備発光プロセスでの発光量の大小関係を１回目と２回目とで逆にしてもよい。さらに、上記実施形態において、内蔵閃光装置３２がチョップ発光方式で予備発光するカメラを用いるようにしてもよい。
【００４７】
（４）本発明において、カメラからリモート閃光装置への通信手段は光束パルスに限定されることなく、カメラが無線通信によってリモート閃光装置を制御する構成であってもよい。
【図面の簡単な説明】
【００４８】
【図１】第１実施形態に係る電子カメラシステムの構成を示す概要図
【図２】第１実施形態の外付け閃光装置の構成を示すブロック図
【図３】第１実施形態の分割測光素子を説明するための正面拡大図
【図４】第１実施形態の電子カメラシステムの動作を示す流れ図
【図５】第２実施形態の電子カメラシステムの動作を示す流れ図
【符号の説明】
【００４９】
１０…外付け閃光装置、１１…リモート閃光装置、１２…電子カメラ、３２…内蔵閃光装置、３８…分割測光素子、３９…ＣＰＵ
【図１】
2006317674.tif 000003
【図２】
2006317674.tif 000004
【図３】
2006317674.tif 000005
【図４】
2006317674.tif 000006
【図５】
2006317674.tif 000007